(57)【要約】表示システムは、ディスプレイが機能しなくなった後廃棄することができるカートリッジのような、好ましくは巻くことが可能であり着脱可能又は取外し可能な表示パネル（１０,１４）を利用する。実際のディスプレイは２つの部分のハウジング（４,５）を有し、一方が着脱可能又は取外し可能な表示パネルを含む。このハウジング（４）は、バッテリー、入力装置（ボタン、ジョイスティック）、無線周波数（ＲＦ）アンテナ、及びチップ、並びにおそらくメモリ及びプロセッサのような電子回路部を含む。他方のハウジング（５）は表示パネル（１４）又は基板（１０）を含む。表示パネル（１４）又は基板（１０）が裂けた場合、それはフレキシブルで薄型のディスプレイには起こりそうにはないが、パネルのみを置き換えるだけでよく、装置全体を置き換える必要はない。
2006501510.tif 000002
【特許請求の範囲】
【請求項１】
表示装置を通じて情報を表示するのに適した電子装置であって、前記表示装置は少なくとも１つの表示パネルを有するとともに駆動電子回路部が備えられており、前記電子装置は前記表示装置に表示パラメータを提供する手段が備えられており、前記表示装置は、前記電子装置の外側に備えられるとともに第１の位置と第２の位置との間を移動可能であり、前記表示装置は第１のハウジングを有し、前記第１のハウジングは、前記第１及び第２の位置のうちの１つに前記表示パネルを有し、第２のハウジングは前記表示パネル用の駆動電子回路部を有する、電子装置。
【請求項２】
前記第１のハウジングが前記第１のハウジングを筐体に取り付けるための取付手段を有する、請求項１による電子装置。
【請求項３】
前記第１のハウジングを前記筐体に取り付けるための取付手段が、スピンドル機構、クリック機構、磁気取付け、及び接着剤のグループから選択される、請求項２による電子装置。
【請求項４】
前記筐体用の閉じる手段を有する、請求項２による電子装置。
【請求項５】
前記表示パネルが、前記表示パネルを実質的に見ることができない第１の位置と前記表示パネルの少なくとも一部を見ることができる第２の位置との間を移動可能である、請求項１による電子装置。
【請求項６】
前記表示パネルは、前記表示パネルを部分的に見ることができる少なくとも１つの他の位置に移動可能である、請求項５による電子装置。
【請求項７】
前記第２のハウジングと前記電子装置とが機械的に相互接続される、請求項１、２又は５による電子装置。
【請求項８】
前記第２のハウジングと前記電子装置とが機械的に相互接続可能である、請求項１、２又は５による電子装置。
【請求項９】
前記第２のハウジングの前記駆動電子回路部と前記電子装置の電子回路とが、電磁結合によって相互接続可能である、請求項１、２又は５による電子装置。
【請求項１０】
前記表示パネルの少なくとも一部がフレキシブルであり、前記表示パネルが巻くことが可能又は折り畳むことが可能である、請求項１、２又は５による電子装置。
【請求項１１】
前記第１及び第２の位置のうちの少なくとも１つの位置の前記表示パネルが、スプリング取付部又はスピンドル機構によって前記第１のハウジングに取り付けられる、請求項１、２又は５による電子装置。
【請求項１２】
前記第２のハウジングの前記駆動電子回路部及び前記表示パネルが、機械的結合により電気的に相互接続可能である、請求項１、２又は５による電子装置。
【請求項１３】
前記第２のハウジングの前記駆動電子回路部の導体パターンを前記表示パネルの導体パターンに相互接続するクランプ機構を有する、請求項１２による電子装置。
【請求項１４】
前記第１のハウジングは、前記表示パネルを差し込んで取り付ける手段を有する、請求項１、２又は５による電子装置。
【請求項１５】
他の表示装置を有する、請求項１、２又は４による電子装置。
【請求項１６】
前記電子装置が前記第２のハウジングを有する、請求項１、２又は４による電子装置。
【請求項１７】
前記電子装置が、前記表示装置用の少なくとも１つのアプリケーションを選択するためのコントローラを有し、前記電子装置が、前記アプリケーションに関する少なくとも表示パラメータを記憶するためのメモリ手段と、前記表示パラメータを前記電子装置と前記表示装置との間のインターフェースに供給するための手段とを更に有する、請求項１、２又は４による電子装置。
【請求項１８】
表示装置を通じて情報を表示するのに適した電子装置であって、前記表示装置は駆動電子回路部が備えられた表示パネルを有し、前記電子装置は前記表示装置に表示パラメータを提供する手段が備えられ、前記表示装置は少なくとも１つの移動可能なハウジングを有し、前記ハウジングは前記表示パネルを有し、前記電子装置は前記表示装置用の駆動回路部を有する、電子装置。
【請求項１９】
表示装置を通じて情報を表示するのに適した電子装置であって、前記表示装置は駆動電子回路部が備えられた表示パネルを有し、前記電子装置は前記表示装置に表示パラメータを提供する手段が備えられ、前記表示装置は、前記電子装置の前記駆動電子回路部の導通パターンを前記表示パネルの導通パターンに相互接続するためのクランプ機構を有する、電子装置。
【請求項２０】
表示パネルを有する表示装置であって、前記表示パネルは、第１の位置と第２の位置との間を移動可能であり、表示パネルの少なくとも一部を見ることができ、前記表示装置は第１のハウジングを有し、前記第１のハウジングは、前記第１及び第２の位置のうちの１つに前記表示パネルを有し、第２のハウジングは前記表示パネル用の駆動電子回路部を有する、表示装置。
【請求項２１】
前記第１のハウジングが、前記第１のハウジングを筐体に取り付けるための取付手段を有する、請求項２０による表示装置。
【請求項２２】
前記第１のハウジングを前記筐体に取り付けるための取付手段は、スピンドル機構、クリック機構、磁気取付け、及び接着剤のグループから選択される、請求項２１による表示装置。
【請求項２３】
前記筐体用の閉じる手段を有する、請求項２１による表示装置。
【請求項２４】
前記表示パネルは、前記表示パネルを実質的に見ることができない第１の位置と前記表示パネルの少なくとも一部を見ることができる第２の位置との間を移動可能である、請求項２０による表示装置。
【請求項２５】
前記表示パネルの少なくとも一部がフレキシブルであり、前記表示パネルが巻くことが可能又は折り畳むことが可能である、請求項２０又は２４による表示装置。
【請求項２６】
前記第１及び第２の位置の少なくとも一方の位置における前記表示パネルが、スプリング取付部によって前記第１のハウジングに取り付けられる、請求項２０による表示装置。
【請求項２７】
前記第２のハウジングの前記駆動電子回路部と前記表示パネルとが機械的結合により電気的に相互接続することが可能である、請求項２０又は２４による表示装置。
【請求項２８】
前記第２のハウジングの前記駆動電子回路部の導通パターンを前記表示パネルの導通パターンに相互接続するためのクランプ機構を有する、請求項２６による表示装置。
【請求項２９】
前記第１のハウジングは、前記表示パネルを差し込んで取り付ける手段を有する、請求項２０又は２４による表示装置。
【請求項３０】
駆動電子回路部と、前記駆動電子回路部の導通パターンを前記移動可能なハウジングの導通パターンに相互接続するためのクランプ機構とを有する、請求項２０による表示装置。
【請求項３１】
前記表示パネルのためのハウジングであって、前記表示パネルは、前記ハウジング内を、第１の位置と前記表示パネルの少なくとも一部を見ることができる第２の位置との間で移動可能であり、前記ハウジングは、前記ハウジングを筐体に取り付ける取付手段を有する、ハウジング。
【請求項３２】
前記第１のハウジングを前記筐体に取り付けるための取付手段は、スピンドル機構、クリック機構、磁気取付け、及び接着剤のグループから選択される、請求項３１によるハウジング。
【請求項３３】
前記表示パネルの少なくとも一部はフレキシブルであり、前記表示パネルは巻くことが可能又は折り畳むことが可能である、請求項３１によるハウジング。
【請求項３４】
前記ハウジングは前記表示パネルを差し込んで取り付ける手段を有する、請求項３１によるハウジング。
【発明の詳細な説明】
【技術分野】
【０００１】
本発明は、表示装置を通じて情報を表示するのに適した電子装置であって、上記表示装置は少なくとも１つの表示パネルを有するとともに駆動電子回路部が備えられており、上記電子装置は上記表示装置に表示パラメータを提供する手段が備えられている電子装置に関する。
【０００２】
本発明は、更に、斯かる装置で使用される表示装置、及び斯かる表示パネル用のハウジングに関する。
【背景技術】
【０００３】
表示装置は、液晶表示装置、エレクトロクロミック表示装置、電気泳動表示装置、インターフェロメトリックモジュレータ（interferometric
modulator）を含む反射型表示装置、及び発光表示装置のグループのうちの１つに属するだろう。表示装置は、パッシブマトリックス表示装置又はアクティブマトリックス表示装置があるだろう。斯かるアクティブマトリックス表示装置の例は、ＴＦＴ−ＬＣＤ又はＡＭ−ＬＣＤ、（Ｏ）ＬＥＤ装置であり、それらは、ラップトップコンピュータ及びオーガナイザで使用されるが、ＧＳＭ電話においてますます幅広い用途を見つけている。
【０００４】
斯かるマトリックスディスプレイは、例えば、ＴＦＴ（ＭＯＳ）トランジスタのようなスイッチを通じて、選択ライン又は行（のグループ）を周期的にアドレス指定する選択ラインによって一般にアドレス指定され、一方、同時に、データ（電圧）がデータライン又は列（のグループ）を通じて供給される。そして、「表示パラメータ」はこれらの駆動信号を有するが、表示装置（モジュール）と電子装置との間の他のインタフェース信号も有することができることを意味する。多くのアプリケーションに対して、これは好ましくは標準インターフェースであるべきである。それは、例えば垂直同期パルス、水平同期パルス、クロック信号などの信号を有することができる。それは、サイズ及び解像度に対する情報、又はアプリケーションに対する任意の他の関連情報（色又はモノクロ）も有することができる。
【０００５】
ラップトップコンピュータ及びオーガナイザ（もちろんＧＳＭ電話も）のような今日の多くのアプリケーションではポータブル（表示）装置が好まれる。しかしながら、大部分のディスプレイはどちらかといえば壊れやすいシステムであるので、携帯性は、ディスプレイを壊す多くの機会という犠牲を払うことへと進んでいる。しかしながら、ポータブル装置から壊れたディスプレイを交換するコストはかなり高いので、通常、装置は全体が交換される。機能の９９％がまだ利用可能であるので、これは資源の浪費である。これらの高いコストの理由は２つある。第１に、ディスプレイは強度を与えるように装置に成形される。従って、ディスプレイを取り除くことは、装置を壊すことを必要とする。第２に、一旦ディスプレイが取り除かれると、新しいディスプレイは装置に位置合わせされなければならず、大量の接続（数万から１００万以上）を考慮すると、これは複雑な作業である。
【０００６】
他のアプリケーション、特に携帯電話では、装置内の利用可能な領域よりも大きな表示領域を有する必要性が感じられる。この必要性は、巻くことが可能なディスプレイを導入することによって解決される。巻くことが可能なディスプレイへ移行すると、基板が一般的により薄くなりそれ故に傷つきやすい一方で、上記の保護対策が割愛されなければならない。
【発明の開示】
【発明が解決しようとする課題】
【０００７】
本発明の目的の１つは、少なくとも部分的に上記の言及された問題を解決することである。
【課題を解決するための手段】
【０００８】
この目的を達成するため、本発明による第１の電子装置では、表示パネルは、上記電子装置の外側に備えられるとともに第１の位置と第２の位置との間を移動可能であり、上記表示装置は第１のハウジングを有し、上記第１のハウジングは、上記第１及び第２の位置のうちの１つに上記表示パネルを有し、第２のハウジングは上記表示パネル用の駆動電子回路部を有する。
【０００９】
好適実施例では、上記表示パネルが、上記表示パネルを実質的に見ることができない第１の位置と上記表示パネルの少なくとも一部を見ることができる第２の位置との間を移動可能である。中間の別個の位置を利用可能とすることもできる。
【００１０】
「実質的に見ることができない」ということは、表示パネルがハウジング内に存在するので又は表示パネルが折り畳まれた位置又は巻き上げられた位置にあるので、実際の表示パネルの大部分が人間の目には見ることはできないことを意味する。用語「表示パネルの一部」は、表示パネルの見ることができる部分を示す必要は無い。表示パネルは折り畳み可能なものと巻くことが可能なものとの両方で実現することができ、この場合、例えば、分離した表示パネルを担持する基板は折り畳まれた位置において広げられ、そして折り畳まれたものが広げられる。
【００１１】
本発明は、強固なディスプレイを作るというよりも、ハウジング（例えば、カートリッジ）内で、役目を終えた後に廃棄することができるディスプレイ（及びハウジング）を利用することができるという洞察に基づいている。これは、（例えば、組み込まれた行ドライバ及び列ドライバを含む）フレキシブルディスプレイが使用され、安価な「プラスチック電子回路部」が利用可能であるとき、さらに魅力的である。２つのハウジングのうちの１つのみに表示パネルを備えることによって、斯かる表示装置のハウジング内の駆動電子回路部の量が最小となり、使い捨て表示パネルの使用を更に魅力的なものにする。
【００１２】
好適実施例では、上記第１のハウジングが上記第１のハウジングを筐体に取り付けるための取付手段を有する。上記第１のハウジングを上記筐体に取り付けるための斯かる取付手段は、スピンドル機構、クリック機構、磁気取付け、及び接着剤のグループから選択することができる。これは、（一時的に）斯かる筐体に保管することができる使い捨て表示パネルを提供する道を開く。
【００１３】
表示装置及び電子装置は、使い方によって、機械的に相互接続される、又は機械的に相互接続可能とすることができる。ワイヤレス通信も可能である。これは、斯かる表示装置の１つ以上の装置での使用を可能にし、更に、ローディングバッジ（loading
badge）、クレジットカード又は同様のデバイスのように、斯かる表示装置にデータを「ロードする」可能性をも開く。
【００１４】
上記のように、上記表示パネルの少なくとも一部をフレキシブルとすることができ、これは、巻くことが可能又は折り畳むことが可能であるディスプレイの使用を可能にする。
【００１５】
この場合、好適実施例は、（機械的）相互接続が備えられた装置の側とは異なる側において、表示パネルのハウジングを有する。
【００１６】
１つの表示パネルの幾つかの装置での使用は、上記のアプリケーションに制限される必要はないが、安価な表示パネルを有することは、装置の表示パネルを取り替えることによって、又は同じ表示パネルを幾つかの装置に使用することによって、表示パネル自体を交換する可能性ももたらす。この目的のため、本発明によるディスプレイの一つの好適実施例では、表示装置又は電子装置は、表示装置又は電子装置の駆動電子回路部の導体パターンを表示パネルの導体パターンに相互接続するクランプ機構を有する。
【００１７】
本発明のこれら及び他の態様は、以下に記載される実施例から明らかであり、その実施例を基準にして説明される。
【００１８】
図は概略的であり同じ縮尺では示されていない。対応する要素は、一般に同じ符号によって示されている。
【発明を実施するための最良の形態】
【００１９】
図１は、斯かる表示パネルの第１の種類のアプリケーションでの使用を示す。図１ａに、１つの典型的な例、即ち、携帯電話１におけるディスプレイの用途が与えられている。携帯電話の典型的な表示装置（パネル）２は例えば２ｃｍ×３ｃｍの大きさを有し、一方、携帯電話自体は例えば４ｃｍ×１０ｃｍの大きさを有する。他の巻式ディスプレイ３はハウジング４、５内に備えられ、相互接続ピン６を通じて携帯電話１に相互接続することができる。この例でのハウジングは２つの異なる部分４、５を有し、この例での表示パネル３は巻かれた形で部分５内に位置し、一方、部分４は他の駆動電子回路部及び例えばバッテリーを有する。図１ｂは広げられたディスプレイ３を示し、それは例えば１０ｃｍ×１５ｃｍの大きさを有する。
【００２０】
図２は、取替え可能なパネルの別の種類のアプリケーションでの用途を示す。表示パネル３は曲げることが可能であり、表示パネル３の周りにハウジング５（例えばフレーム）を有する。この場合、表示パネル３のエッジは相互接続手段１５が備えられ、これは表示パネルに駆動信号を供給する。これらの駆動信号は、例えば、駆動回路（ＩＣ）９で発生され、それは図４を基準にして以下に記載されるように関数パラメータを発生し受け取ることもできる。フレーム５の領域において、スプリング８又は他のクランプ手段は、ハウジング７に抵抗してディスプレイのエッジを押す。表示パネル３は曲げることが可能であるので、それは取替可能な表示パネルとして装置（携帯電話１）内に簡単に挿入することができる。
【００２１】
図２ａにおいて、表示装置は全体として、フレーム５及びスプリング８を含めて、着脱可能である。必要であれば、特に放射表示原理又は反射表示原理を使用するとき、駆動回路（ＩＣ）９（の一部）が表示パネルの裏側で実現できる。
【００２２】
図２ｂにおいて、表示パネル２は、その端部が自由であり（図２ｂに２’で示されている）引き抜かれるような程度に曲げることができる一方、フレーム５及びスプリング８はハウジング７内に残ったままである。表示パネル２が取り替えられなければならない場合、新しい表示パネル（図２ｂに２”で示されている）が準備され曲げられ、その後、表示パネル２は、ハウジング７内でクランプされる。
【００２３】
取替可能な表示装置又は表示パネルを有する利点の１つは、ある標準化が合意されれば（ディスプレイサイズ、及び必要であればハンドシェイクプロトコル）、別々の装置に使用できることである。
【００２４】
図３は、本発明による実現可能な表示パネル３の一部の電気的等価回路図である。それは、１つの実現可能な実施例において（「パッシブモード」と呼ばれる１つの駆動モード）、行電極又は選択電極と列電極又はデータ電極との交差領域によって規定される画素のマトリックスを有する。行電極は行ドライバ１１によって（相互接続パターン１３を通じて）連続的に選択され、一方、列電極はデータレジスタ１２を通じてデータが供給される。この目的のため、（フレキシブル）ディスプレイ基板１０上には、行ドライバと通導パッド３７との間、及びデータレジスタと導通パッド３７との間に、他の相互接続部１３が備えられている。参照番号１４は、実際の表示領域を表す。図２の実施例では、これらの行ドライバ及びデータレジスタは、装置のハウジングの電子回路部に備えられる。例えば、これらの電子回路をハウジング４に（部分的に）実現し、一方、表示パネルが幾つかの簡単な電子回路部のみを有するという、混合させた解決策がもちろん可能である。
【００２５】
別の実現可能な実施例（「アクティブモード」と呼ばれる別の駆動モード）では、行ドライバからの信号が、ゲート電極が行電極に電気的に接続されソース電極が列電極に電気的に接続された薄膜トランジスタ（ＴＦＴ）を通じて画像電極を選択する。
【００２６】
図４は、基板１０の一部が第１のハウジング部５内にどのように取り付けられているかを概略的に示す。この例において、ハウジング部５は、（フレキシブルな）表示基板１０を巻き上げるための（スプリング付き）巻き装置１７を有する。
【００２７】
支持ヒンジ１６は、全体の構成の機械的安定性を補強することができる。更に、この例では、ディスプレイが巻き位置に存在するときにハウジング部４、５を一緒にロックするためにロック機構１９が概略的に示されている。（フレキシブルな）ディスプレイ基板１０を再度解放するために、ハウジング部４はプッシュボタン１８を有する。
【００２８】
ハウジング部４は、この例ではプリント回路基板２０を有する。プリント回路基板上には、ドライバチップ２１とインタラクティブプッシュボタン１８（又は他のインターラクション装置）への電気的相互接続部２２とが、コンタクトパッド３８のアレイに（導体２３を通じて）接触する電気的相互接続部２２と共に備えられ、その電気的相互接続部２２は、コンタクトパッド３７に接触することができる。コンタクトパッドは、（ここに示されているように）ディスプレイホイルの両側又は一方の側だけに位置することができる。また、このハウジング部４は、他のチップ、バッテリー、及び、特に（例えば、電気的相互接続部２５を通じてではなく装置１と表示装置２との間に又は図４に示される接続部６を通じてではなく表示装置２と表示パネル３との間にＲＦリンクを可能にするための）アンテナを含むことができることに注意されたい。特に、プリント回路基板２０上のドライバチップ２１又は他の回路は、例えば、異なる種類の装置での異なる種類の表示パネル（ラインの数、列の数などが異なる）の使い方のような、情報の交換に関する（標準）プロトコルの実現のために、使用することができる。
【００２９】
この例では、ハウジング４は２つの部分４ａ、４ｂを有し、その間において、接続部６を導体２３に接触するために表示パネル１４（フレキシブル基板１０）をクランプすることができる（この例では、両側接触が示されている）。別の実施例では、ハウジング４は表示パネルを受取部に差し込むためにスリットのみを有することができる。
【００３０】
表示パネルの幅は斯かるスリットの大きさに制限されないことに注意されたい。ハウジング５の大きさは、示されている実施例の基板１０の最大幅を決定する。しかし、導入部で言及したように、基板１０は巻き方向に交差する方向に折り畳むことができ、この場合、より広い表示パネルをハウジングに備えることができる。
【００３１】
コンタクトパッドは、基板１０の位置決めくぎ又はくぼみ（孔２４）、又は適切な位置決めのための任意の型式の光学的若しくは機械的フィードバック機構を通じて、ディスプレイの接触領域に位置決めされる。ディスプレイは典型的には数個のコンタクトパッドしか含まないので、これらのコンタクトは大きくすることができ、従って、大まかな位置決めで十分である。
【００３２】
第１のハウジング部５は、（フレキシブルな）ディスプレイ基板１０を巻き上げる巻き装置１７を含む。この例においてハウジング部５も２つの部分５ａ、５ｂを有する。そのメカニズムは、表示パネル１４（フレキシブル基板１０）を完全に広げるときに開くだけにすることができるように、設計される。２つの部分５ａ、５ｂを分離すると、２つの部分が分離されている間はスプリング付き巻上げ機構が巻き戻すことができないようにその機構がロックされる。完全に広げられた位置において、表示パネル１４を入れるための（図４の巻き装置１７の）へこみ２６は、例えば下方を向いている。表示パネル１４は、それを巻上げ方向に動かすことによってつかむ（及び、ディスプレイを巻き上げるスプリングにより通常動作の間ディスプレイを保持する）フック２７（図４のへこみ２６の中）から取り外すことができる。巻上げ機構は、この取外しを達成するためにロックされ、新しいディスプレイ（フォイル）を、（ディスプレイのホイル２８と協働して位置決め手段としての役割も果たす（図３参照））フック２７にかけることができる。２つの部分を閉じると、スプリングは解放され新しいディスプレイが再び巻き上げられる。
【００３３】
この例では、両方のハウジング４、５とも、図５のハウジング４に示すように、ヒンジ３１を介して開くことができる。表示パネル１０、１４がハウジング４に取り込まれているときにハウジング部を一緒にロックするためのロック機構３３が概略的に示されている。再び（フレキシブルな）表示パネル１４（基板１０）を解放するために、ハウジング部４は押しボタン３２を有する。接続パッド３８は表示パネルの相互接続パターン２３を受け入れいている（この例では、両側接触が示されている）。ハウジング５では、これらの接続パッドは、削除される。
【００３４】
上記のように、ハウジング４，５の間、ハウジングと装置との間のワイヤレス通信も可能である。多くの異なる種類の表示パネルを駆動できるユニバーサルハウジング４が得られる。同様にして、ハウジング４と装置１との間の別の種類の通信が可能である。一方、ハウジング４は装置１に組み込まれてもよい。
【００３５】
最も傷つきやすい部分のみ（即ち、表示パネル）が損傷又は破損のようなものにより取り替えられられなければならないので、この設計は両方の使い捨て表示パネルへの道を開き、使い捨てディスプレイの使用をさらに魅力的なものにする。一方、個別のハウジング又はパネルを使うことは、使い捨てディスプレイの使用の道を開き、それは任意の場所においてプラグ接続することができる。多くのアプリケーションを考えることができ、例えば以下のようなものがある。
−  待ちが長いかどうかを調べるために、（バンキング）オフィスの壁に使い捨てディスプレイを差し込む（必要に応じて、ディスプレイ基板は、識別電子回路（identification
electronics）を備えることができる）。
−  （幼稚園から棚卸品までの範囲内で）観察目的のため特定の場所に個人向けディスプレイを差し込むためにそれをカートリッジとして使用する。
−  講師が装置ディスプレイ上で小さい画像を見て、一方、広げられたディスプレイの反対側の聴衆が拡大画像又は動画も見る、（小さい）聴衆のための講義を与える装置。
−  広げられた部分にモノクロ（白黒）情報を表示し、同時に、装置のディスプレイに（他の）機能的な（色）情報を表示する。
−  多目的アプリケーションのためにポケットディスプレイ。
【００３６】
それ自体使い捨ての必要がない個別のハウジング部４の使用は、複雑な機能、例えば、デジタル化画像を記憶するための手段（例えば、写真目的の他の処理手段とともに、電荷結合素子）と一緒にレンズ及び／又はポインティングデバイスを、ハウジング部４に組み込むことを魅力的なものにする。この場合、ハウジング部４の組合せをカメラ目的で使用することができ、一方（その後に）他の装置１で処理をすることができる。
【００３７】
斯かるアプリケーションの一つが図６に示されており、ハウジング５は写真で使用されるようなカートリッジに相当し、それはふた４２とスピンドル１７とを有する筐体３９（図６ａ，ｂ）又は容器（写真フィルム容器に相当する）に保管することができる。スピンドル１７は、基板（表示パネル）１０、１４を連動機構４３を通じてハウジング５（カートリッジ）に巻き上げる役割をする。あるいは、クリック機構、磁気取付け、及び接着のような他の連動機構を使用することができる。巻くことが可能な基板（表示パネル）１０、１４は、その伸縮可能な端部において、機械的接続部４０を有する。図６ｃでは、この機械的接続部４０は、ハウジング４内において、接触パッド３７、３８を相互接続するために、取付機構４１を通じて他の機械的接続部（図示せず）に取付られている。
【００３８】
これらのアプリケーションは、ディスプレイを装置に（機械的に）相互接続する標準的な方法が合意に達し、情報の交換に関する（標準）プロトコルが存在する場合（例えば、（異なる数のライン、列などを伴なう）異なる種類の表示パネルの異なる種類の装置での使い方）、最も魅力的である。
【００３９】
本発明の保護範囲は、記載された実施例には限定されず、一方、本発明は、他の表示装置（例えば、（Ｏ）ＬＥＤディスプレイ及び他のハウジング装置）にも適用可能である。
【００４０】
一方、表示装置（パネル）を有する電子装置１は、各々が（異なる数のライン、列などを伴なう）異なる表示パネルを有する異なるアプリケーション（例えば、電話アプリケーションと計算機アプリケーションとの両方）に適合するようにできる。表示パネルは、異なる技術、例えば、ディスプレイ２用の（Ｏ）ＬＥＤ技術及びディスプレイ１４用のＬＣＤ技術において、実現することもできる。
【００４１】
可能なアプリケーションの多くにおいて、装置ディスプレイ２及び巻き上げられたディスプレイ領域は、ただ一つの側から見える必要はない。一方、巻くことが可能な表示パネルは、２つの反対の側から見ることができる。
【００４２】
また、装置とディスプレイ（の一部）との間の相互接続は、示されているような電子機械的な種類のものである必要はない。電磁結合（赤外線）が、データを表示装置又は表示パネルに提供するために使用することができる。
【００４３】
一方の側に行電極及び列電極への全ての接続部を有する表示パネルが使用されるとき、行ドライバ１１及びデータレジスタ１２はハウジング４内に実現することもできる。
【００４４】
両方のタイプのハウジングに巻くことが可能な基板（フィルム）を取り付ける又はハウジング５を筐体３９に格納する分野において既知の幾つかのメカニズムを使用することができる。
【００４５】
本発明は、いずれの新規な特徴及びいずれの特徴の組合せにも存在する。動詞「有する」及びその活用形の使用は、請求項に記載される以外の構成要素の存在を排除しない。構成要素が単数であることは斯かる構成要素の複数の存在を排除しない。
【図面の簡単な説明】
【００４６】
【図１ａ】図１は、巻式表示装置のモバイルアプリケーションでの使用を示す。
【図１ｂ】図１は、巻式表示装置のモバイルアプリケーションでの使用を示す。
【図２ａ】図２は、本発明による交換式の表示装置又は表示パネルを有する図１の装置の、ラインII−IIの断面を見たときの実施例を示す。
【図２ｂ】図２は、本発明による交換式の表示装置又は表示パネルを有する図１の装置の、ラインII−IIの断面を見たときの実施例を示す。
【図３】図３は、巻式表示装置の一部の電気的等価体である。
【図４】図４は、本発明による巻式表示装置のハウジングを示す。
【図５】図５は、本発明による装置のハウジングの分離部を示す。
【図６ａ】図６は、本発明による他の実施例を示す。
【図６ｂ】図６は、本発明による他の実施例を示す。
【図６ｃ】図６は、本発明による他の実施例を示す。
2006501510.tif 000003
2006501510.tif 000004
【図３】
2006501510.tif 000005
【図４】
2006501510.tif 000006
【図５】
2006501510.tif 000007
2006501510.tif 000008
【国際調査報告】
2006501510.tif 000009
2006501510.tif 000010
2006501510.tif 000011